(57)【要約】【課題】本発明は、広い周波数にわたって、背面雑音を抑制する背面雑音抑制マイクロホンを提供する。【解決手段】背面雑音抑制マイク１は、超指向性を有する超指向性マイクロホン２と、単一指向性を有する単一指向性マイクロホン４背面方向に向けて所定の間隔で複数配置し、背面雑音を収音して信号を出力するマイクロホンアレイ３と、予め設定された一対の単一指向性マイクロホン４が出力する信号を減算するマイクロホンアレイ信号減算手段１１と、マイクロホンアレイ信号減算手段１１が減算した信号を、背面雑音の周波数成分に合わせて整形するマイクロホンアレイ信号整形手段１２と、超指向性マイクロホン２が出力する信号からマイクロホンアレイ信号整形手段１２が整形した信号を減算する超指向性マイクロホン信号減算手段１３と、を備える。【選択図】図４
2010050500.tif 000002
【特許請求の範囲】
【請求項１】
前面方向からの目的音を収音すると共に、背面方向からの非目的音である背面雑音を抑制する背面雑音抑制マイクロホンであって、
指向特性として超指向性を有し、前記前面方向からの音を収音して信号を出力する超指向性マイクロホンと、
指向特性として単一指向性を有する単一指向性マイクロホンを前記背面方向に向けて所定の間隔で複数配置し、前記背面雑音を収音して信号を出力するマイクロホンアレイと、
前記マイクロホンアレイのうち、予め設定された一対の前記単一指向性マイクロホンが出力する信号を減算するマイクロホンアレイ信号減算手段と、
前記マイクロホンアレイ信号減算手段が減算した信号を、前記背面雑音の周波数成分に合わせて整形するマイクロホンアレイ信号整形手段と、
前記超指向性マイクロホンが出力する信号から前記マイクロホンアレイ信号整形手段が整形した信号を減算する超指向性マイクロホン信号減算手段と、
を備えることを特徴とする背面雑音抑制マイクロホン。
【請求項２】
前記マイクロホンアレイの前記単一指向性マイクロホンは、前記超指向性マイクロホンの音響中心を境に前記前面方向及び前記背面方向にそれぞれ配置され、
前記マイクロホンアレイ信号減算手段は、前記背面雑音の周波数成分が低くなる程、前記音響中心から等距離であると共に、互いに離して配置された一対の前記単一指向性マイクロホンが出力する信号を減算し、前記背面雑音の周波数成分が高くなる程、前記音響中心から等距離であると共に、互いに近くに配置された一対の前記単一指向性マイクロホンが出力する信号を減算することを特徴とする請求項１に記載の背面雑音抑制マイクロホン。
【請求項３】
前記マイクロホンアレイ信号減算手段は、前記単一指向性マイクロホンを組み合わせた数と等しい数の減算部によって、前記単一指向性マイクロホンが出力する信号を減算し、
前記マイクロホンアレイ信号整形手段は、予め設定された周波数以下の周波数成分を通過させるローパスフィルタと、予め設定された周波数以上の周波数成分を通過させるハイパスフィルタとによって、前記マイクロホンアレイ信号減算手段が減算した信号を整形することを特徴とする請求項１又は請求項２に記載の背面雑音抑制マイクロホン。
【発明の詳細な説明】
【技術分野】
【０００１】
本発明は、前面方向からの目的音を収音すると共に、背面方向からの非目的音である背面雑音を抑制する背面雑音抑制マイクロホンに関する。
【背景技術】
【０００２】
従来から、屋外で収音を行う場合、１種類のマイクロホンで全ての状況に対応することは困難であるため、全指向性、単一指向性、超指向性等の指向特性を有する様々なタイプのマイクロホンが用途別に開発されてきた。ここで、屋外でマイクロホンを利用する場合、目的音以外の音が存在しないことは稀である。このため、屋外の収音では、長い音響管を使用して側面からの雑音を抑制し、前面方向からの音（目的音）を収音することを目的としたショットガンマイクロホンが広く用いられている（例えば、ゼンハイザージャパン株式会社製，製品名：ＭＫＨ−４１６，ＭＫＨ−８１６）。
【０００３】
また、背面方向からの非目的音（背面雑音）を抑制するために、超指向性マイクロホンと、背面方向の２次音圧傾度マイクロホンとを組み合わせた小型狭角指向性マイクロホンが知られている（例えば、特許文献１参照）。
【特許文献１】特開２００５−３２３１５７号公報
【発明の開示】
【発明が解決しようとする課題】
【０００４】
しかし、前記したショットガンマイクロホンは、側面方向からの非目的音を抑制できるものの、背面方向からの非目的音（背面雑音）を抑制できておらず、ギャラリーを避けたスポーツ中継の収音や中継車上からの収音には適さない。さらに、ショットガンマイクロホンの使用者が発生させる雑音が、ショットガンマイクロホンの背面方向で発生するため、ショットガンマイクロホンは、この雑音も収音してしまうという問題がある。
【０００５】
また、前記した小型狭角指向性マイクロホンは、背面方向からの非目的音を抑制することを目的としているが、中低音域を対象としているため、例えば、拍手のような高周波数成分の多い背面雑音を、十分に抑制できないという問題がある。
【０００６】
そこで、本発明は、広い周波数にわたって、背面雑音を抑制する背面雑音抑制マイクロホンを提供することを目的とする。
【課題を解決するための手段】
【０００７】
前記した課題を解決するため、請求項１に係る背面雑音抑制マイクロホンは、前面方向からの目的音を収音すると共に、背面方向からの非目的音である背面雑音を抑制する背面雑音抑制マイクロホンであって、指向特性として超指向性を有し、前記前面方向からの音を収音して信号を出力する超指向性マイクロホンと、指向特性として単一指向性を有する単一指向性マイクロホンを前記背面方向に向けて所定の間隔で複数配置し、前記背面雑音を収音して信号を出力するマイクロホンアレイと、マイクロホンアレイ信号減算手段と、マイクロホンアレイ信号整形手段と、超指向性マイクロホン信号減算手段と、を備える構成とした。
【０００８】
かかる構成において、背面雑音抑制マイクロホンは、超指向性マイクロホンによって、前方からの音、つまり、目的物が発生させる目的音を収音する。このとき、背面雑音抑制マイクロホンは、超指向性マイクロホンの背面特性によって、山谷が連続する周波数特性を示す背面雑音を収音してしまう。また、背面雑音抑制マイクロホンは、マイクロホンアレイによって、非目的音である背面雑音を収音する。なお、非目的音とは、目的物以外が発生させる様々な雑音である。
【０００９】
また、背面雑音抑制マイクロホンは、マイクロホンアレイ信号減算手段によって、マイクロホンアレイのうち、予め設定された一対の単一指向性マイクロホンが出力する信号を減算する。ここで、単一指向性マイクロホンが配置された間隔に応じて、抑制できる背面雑音の周波数領域が異なる。つまり、背面雑音抑制マイクロホンは、背面雑音を抑制できるように、信号を減算する一対の単一指向性マイクロホンが予め設定される。
【００１０】
また、背面雑音抑制マイクロホンは、マイクロホンアレイ信号整形手段によって、マイクロホンアレイ信号減算手段が減算した信号を、超指向性マイクロホンの背面方向の周波数成分に合わせて整形する。ここで、背面雑音抑制マイクロホンは、マイクロホンアレイ信号整形手段によって、背面雑音の周波数特性が連続する波となるので、この各波の波形に合わせて、マイクロホンアレイ信号減算手段が減算した信号を整形する。そして、背面雑音抑制マイクロホンは、超指向性マイクロホン信号減算手段によって、超指向性マイクロホンが出力する信号からマイクロホンアレイ信号整形手段が整形した信号、つまり、背面雑音を減算する。
【００１１】
また、請求項２に係る背面雑音抑制マイクロホンは、請求項１に係る背面雑音抑制マイクロホンにおいて、前記マイクロホンアレイの前記単一指向性マイクロホンは、前記超指向性マイクロホンの音響中心を境に前記前面方向及び前記背面方向にそれぞれ配置され、前記マイクロホンアレイ信号減算手段は、前記背面雑音の周波数成分が低くなる程、前記音響中心から等距離であると共に、互いに離して配置された一対の前記単一指向性マイクロホンが出力する信号を減算し、前記背面雑音の周波数成分が高くなる程、前記音響中心から等距離であると共に、互いに近くに配置された一対の前記単一指向性マイクロホンが出力する信号を減算することを特徴とする。
【００１２】
かかる構成において、背面雑音抑制マイクロホンは、マイクロホンアレイ信号減算手段によって、音響中心を基準とするため、位相ずれの発生を防止できる。
【００１３】
また、請求項３に係る背面雑音抑制マイクロホンは、請求項１又は請求項２に係る背面雑音抑制マイクロホンにおいて、前記マイクロホンアレイ信号減算手段は、前記単一指向性マイクロホンを組み合わせた数と等しい数の減算部によって、前記単一指向性マイクロホンが出力する信号を減算し、前記マイクロホンアレイ信号整形手段は、予め設定された周波数以下の周波数成分を通過させるローパスフィルタと、予め設定された周波数以上の周波数成分を通過させるハイパスフィルタとによって、前記マイクロホンアレイ信号減算手段が減算した信号を整形することを特徴とする。
【００１４】
かかる構成において、背面雑音抑制マイクロホンは、マイクロホンアレイ信号減算手段及びマイクロホンアレイ信号整形手段を、簡易にすることができる。
【発明の効果】
【００１５】
本発明によれば、以下のような優れた効果を奏する。
請求項１に係る発明によれば、背面雑音を収音できる単一指向性マイクロホンが出力する信号を減算し、周波数特性が連続する山谷となる前面方向用の超指向性マイクロホンの背面特性の各波の波形に合わせてこの信号を整形するため、広い周波数にわたって、背面方向からの音に対する感度を抑制し、雑音を低減することができる。
【００１６】
請求項２に係る発明によれば、位相ずれの発生を防止できるため、背面雑音を抑制できない事態を防止することができる。
請求項３に係る発明によれば、背面雑音抑制マイクロホンを簡易な構成とすることができる。
【発明を実施するための最良の形態】
【００１７】
以下、本発明の実施形態について、適宜図面を参照しながら詳細に説明する。なお、各実施形態において、同一の機能を有する手段及び部材には同一の符号を付し、説明を省略した。
【００１８】
［背面雑音抑制マイクの構成］
以下、図１，図２を参照し、本発明の実施形態に係る背面雑音抑制マイクの構成について、説明する。図１は、本発明の実施形態に係る背面雑音抑制マイクの外観図である。図２は、本発明の実施形態に係る背面雑音抑制マイクを模式的に示した模式図である。図１の背面雑音抑制マイク１は、前面方向からの音を収音すると共に、背面方向からの雑音である背面雑音を抑制するものであって、超指向性マイクロホン２と、マイクロホンアレイ３と、制御手段１０とを備える。また、図２では、図２の右側を前方（前面方向）とし、図２の左側を背面（背面方向）とする。
【００１９】
超指向性マイクロホン２は、指向特性として超指向性を有し、前面方向からの音と前記背面雑音とを収音して信号を出力する、例えば、音響管２ａの内部左端に、振動膜２ｂが配置されたものである。ここで、超指向性マイクロホン２としては、例えば、超指向性を有するダイナミック型マイクロホン、又は、超指向性を有するコンデンサ型マイクロホンがある。
【００２０】
音響管２ａは、側方到来音抑制用のスリット又は連続穴（不図示）が側面に形成された、例えば、長さが３０ｃｍ程の中空構造の筒状体である。
振動膜２ｂは、音響管２ａの内部左端に配置されると共に、空気の振動を捉えるものであり、例えば、アルミニウム、ジェラルミン等の金属膜、又は、ポリエチレンテレフタレート等の合成樹脂膜である。また、振動膜２ｂの振動は、図示しないセンサにより、電気信号に変換されて、制御手段１０に出力される。
音響中心２ｃは、音響管２ａの長手方向（前面方向から背面方向）の中心位置とする。
【００２１】
カバー２ｄは、音響管２ａと、振動膜２ｂと、後記するマイクロホンアレイ３と、後記する制御手段１０とを収容して保護するものである。図１に示すように、カバー２ｄは、前面方向の側の径が背面方向の側の径と同じ太さの円筒状であり、前面方向の正面に音波入射口、側面にスリットが形成されている。なお、図１には、音響管２ａ、振動膜２ｂ、単一指向性マイクロホン４及び制御手段１０は、カバー２ｄに収容されているため、図示していない。
【００２２】
ここで、超指向性とは、前面方向の音を捉え易い指向特性である単一指向性をさらに狭角にしたものである。図３は、図２の超指向性マイクロホンのポーラパターンの例を示す図である。なお、図３では、０°が図２の前面に対応し、１８０°が図２の背面に対応する。
【００２３】
超指向性マイクロホン２は、図３に示すように、前面方向（０°）を中心に約６０°の範囲に強い指向性を有する。このため、超指向性マイクロホン２は、側面方向（９０°，２７０°）からの雑音を収音することは少ない。しかし、超指向性マイクロホン２は、図２に示すように、背面方向（１８０°）にも感度を有する。つまり、超指向性マイクロホン２は、この背面方向の感度により、背面雑音を収音してしまうことになる。
【００２４】
図２のマイクロホンアレイ３は、ｎ個の単一指向性マイクロホン４１，４ｌ，４ｍ，４ｎ（但し、２≦ｌ≦ｍ≦ｎ）が差動するように、極性を逆にしたｎ個の単一指向性マイクロホン４１〜４ｎ（２次音圧傾向マイクロホン）が、所定の間隔（例えば、４．２５ｃｍ）で配置されたものである。なお、単一指向性マイクロホン４１〜４ｎを区別しないで説明する場合、単に、単一指向性マイクロホン４と記す。
【００２５】
また、マイクロホンアレイ３は、ｎ個の単一指向性マイクロホン４が、超指向性マイクロホン２の音響中心２ｃを境に前面方向及び背面方向にそれぞれ配置される。そして、マイクロホンアレイ３は、単一指向性マイクロホン４が収音した音を電気信号に変換し、制御手段１０に出力する。
【００２６】
単一指向性マイクロホン４は、図４に示すように、指向特性として単一指向性を有するものであり、例えば、ダイアフラムの小さいマイクロホンである。図４は、図２の単一指向性マイクロホンのポーラパターンの例を示す図である。なお、図４では、０°が図２の前面に対応し、１８０°が図２の背面に対応する。
【００２７】
実際には、単一指向性マイクロホン４は、単一指向性マイクロホン４の図示しない振動膜の受音面を、超指向性マイクロホン２の背面方向に向けて配置される。このため、単一指向性マイクロホン４は、背面方向（１８０°）からの音、つまり、背面雑音を収音する。
【００２８】
ここで、背面雑音抑制マイク１は、単一指向性マイクロホン４を２個組み合わせて差動で使用、つまり、２次音圧傾度マイクロホンとして使用する。図５は、図２の一対の単一指向性マイクロホン４を組み合わせた２次音圧傾度マイクロホンのポーラパターンの例を示す図である。なお、図５では、０°が図２の前面に対応し、１８０°が図２の背面に対応する。
【００２９】
２次音圧傾度マイクロホン（一対の単一指向性マイクロホン４）は、図５に示すように、前面方向（０°）に指向性を有し、背面方向にはほとんど感度を有さない。このため、２次音圧傾度マイクロホンは、背面雑音のみを効果的に収音できる。なお、単一指向性マイクロホン４の間隔と周波数特性との関係については、後記する。
【００３０】
図２の制御手段１０は、背面雑音抑制マイク１を制御するものである。以下、図６を参照して、制御手段１０の構成について、説明する。図５は、図２の制御手段の構成を示すブロック図である。
【００３１】
＜背面雑音抑制マイクの制御手段の構成＞
図６に示すように、制御手段１０は、マイクロホンアレイ信号減算手段１１と、マイクロホンアレイ信号整形手段１２と、超指向性マイクロホン信号減算手段１３とを備える。
【００３２】
マイクロホンアレイ信号減算手段１１は、マイクロホンアレイ３のうち、予め設定された一対の単一指向性マイクロホン４（但し、２≦ｊ≦ｋ≦ｌ≦ｍ≦ｎ）が出力する信号を減算するものである。例えば、図６では、単一指向性マイクロホン４１が出力する信号から単一指向性マイクロホン４ｎが出力する信号を減算する１個目の減算部１１ａと、単一指向性マイクロホン４ｊが出力する信号から単一指向性マイクロホン４ｍが出力する信号を減算する２個目の減算部１１ａと、単一指向性マイクロホン４ｋが出力する信号から単一指向性マイクロホン４ｌが出力する信号を減算する３個目の減算部１１ａとを図示したが、減算部１１ａの数は、これに制限されない。例えば、単一指向性マイクロホン４の個数がｎの場合、減算部１１ａの最大個数は、ｎを組み合わせた数となる（不図示）。
【００３３】
ここで、マイクロホンアレイ信号減算手段１１は、減算部１１ａによって、背面雑音を抑制できるような間隔で配置された一対の単一指向性マイクロホン４が出力する信号を減算する。例えば、マイクロホンアレイ信号減算手段１１は、背面雑音の周波数成分が低くなる程（例えば、スポーツ中継における応援団の太鼓の音）、音響中心２ｃから等距離であると共に、互いに離して配置された一対の単一指向性マイクロホン４１，４ｎが出力する信号を減算する。
【００３４】
また、例えば、マイクロホンアレイ信号減算手段１１は、減算部１１ａによって、背面雑音の周波数成分が高くなる程（例えば、スポーツ中継における拍手の音）、音響中心２ｃから等距離であると共に、互いに近くに配置された一対の単一指向性マイクロホン４ｌ，４ｍが出力する信号を減算する。
【００３５】
そして、マイクロホンアレイ信号減算手段１１は、減算した信号を、マイクロホンアレイ信号整形手段１２に出力する。例えば、一対の単一指向性マイクロホン４１，４ｎが予め設定されている場合、マイクロホンアレイ信号減算手段１１は、単一指向性マイクロホン４１，４ｎに接続する減算部１１ａによって、単一指向性マイクロホン４１が出力する信号から、単一指向性マイクロホン４ｎが出力する信号を減算する。
【００３６】
マイクロホンアレイ信号整形手段１２は、マイクロホンアレイ信号減算手段１１が減算した信号を、背面雑音の周波数成分に合わせて整形するものである。また、マイクロホンアレイ信号整形手段１２は、各単一指向性マイクロホン４の感度を予め測定しておき、この感度に基づいて、ＬＰＦ１２ａとＨＰＦ１２ｂとで処理した信号の感度が背面雑音とほぼ同じ感度となるようにレベル調整を行っても良い。さらに、マイクロホンアレイ信号整形手段１２は、整形した信号を超指向性マイクロホン信号減算手段１３に出力する。
【００３７】
また、マイクロホンアレイ信号整形手段１２は、減算部１１ａのそれぞれに対応するように、ＬＰＦ（ローパスフィルタ）１２ａとＨＰＦ（ハイパスフィルタ）１２ｂとを組み合わせて構成できる。例えば、図６では、３組のＬＰＦ１２ａとＨＰＦ１２ｂとを図示したが、これに限定されない。例えば、マイクロホンアレイ信号整形手段１２は、前記した減算部１１ａと同数のＬＰＦ１２ａとＨＰＦ１２ｂとを組み合わせて構成できる。なお、マイクロホンアレイ信号整形手段１２による信号整形の詳細は、後記する。
【００３８】
超指向性マイクロホン信号減算手段１３は、超指向性マイクロホン２が出力する信号からマイクロホンアレイ信号整形手段１２が整形した信号を減算するものである。ここで、背面雑音に合わせて整形した信号を超指向性マイクロホン２が出力する信号から減算するため、超指向性マイクロホン信号減算手段１３は、超指向性マイクロホン２が出力する信号に含まれる背面雑音を抑制できる。
【００３９】
なお、制御手段１０は、増幅器をさらに備え、増幅器によって、超指向性マイクロホン信号減算手段１３が出力した信号を増幅しても良い（不図示）。この場合、制御手段１０は、増幅器で信号を増幅した後に、前記したレベル調整を行っても良い。
【００４０】
＜信号整形の詳細＞
以下、図６のマイクロホンアレイ信号整形手段１２による信号整形の詳細について、図７及び図８を参照して説明する（適宜図２，図６参照）。図７は、図６のマイクロホンアレイ信号整形手段による信号整形の詳細を説明する図であり、（ａ）は超指向性マイクロホンが収音した背面雑音の周波数特性の例を示す図であり、（ｂ）は１番目のディップまでの波を抜き出した図であり、（ｃ）は１番目のディップから２番目のディップまでの波を抜き出した図である。なお、図７及び図８は、横軸が周波数（Ｈｚ）であり、縦軸が感度（ｄＢ）である。
【００４１】
超指向性マイクロホン２は、図７（ａ）に示すように、櫛型フィルタにも似た、山谷が連続する周波数特性を示す背面雑音を収音する。ここで、音響管２ａの長さをＬとする場合、式（１）を満たす周波数間隔でディップ（くぼみ）が発生する。このディップとは、ある周波数で感度が急激に低くなることを示しており、図７及び図８では、谷間のように図示される。なお、式（１）では、λは、背面雑音の波長を示す。
式（１）：Ｌ＝λ／２，λ・・・
【００４２】
このディップが前記した周波数間隔で発生するため、超指向性マイクロホン２は、山谷が連続する周波数特性を示す背面雑音として収音してしまう。このように、背面雑音において、山谷が連続する周波数特性を示すため、従来技術では、背面雑音を、図７（ｂ）のような１番目のディップまでしか抑制できず、その効果が不十分であったと考えられる。そこで、本発明は、図７（ａ）のように、山谷が連続する周波数特性を示す背面雑音を、ディップで区分けして個別の山谷として扱うことで、この背面雑音の抑制を効果的に行うことを可能とした。
【００４３】
例えば、図７（ａ）の背面雑音を、図７（ｂ）の１番目のディップまでの山と、図７（ｃ）の１番目のディップから２番目のディップまでの山と、図示を省略した２番目のディップから３番目のディップまでの山と、図示を省略したｘ−１番目のディップからｘ番目のディップまでの山（ｘは、ディップの数）とに分けて扱う。以下、図７（ａ）の背面雑音のうち、図７（ｃ）の１番目のディップから２番目のディップまでの山を背面雑音として抑制する例について、説明する。
【００４４】
図８は、図６のマイクロホンアレイ信号整形手段１２による信号整形の詳細を説明する図であり、（ａ）は一対の単一指向性マイクロホンの出力を減算した信号の周波数特性の例を示す図であり、（ｂ）はマイクロホンアレイ信号整形手段が整形した信号の周波数特性の例を示す図である。ここで、図８（ａ）に示すように、一対の単一指向性マイクロホン４の出力を減算した信号においても、一対の単一指向性マイクロホン４の間隔に応じて、異なる周波数間隔でディップが発生する。そこで、図７（ｃ）とほぼ同じ周波数間隔でディップが発生するような一対の単一指向性マイクロホン４が予め設定され、マイクロホンアレイ信号減算手段１１は、これら単一指向性マイクロホン４が出力する信号を減算する。以下、マイクロホンアレイ信号減算手段１１が、図８（ａ）に示す周波数特性を有する信号を、マイクロホンアレイ信号整形手段１２に出力した例で説明する。
【００４５】
マイクロホンアレイ信号整形手段１２は、マイクロホンアレイ信号減算手段１１が出力した信号、ここでは、図８（ａ）の信号を、図７（ｃ）の背面雑音とほぼ同じ周波数特性に整形する。具体的には、マイクロホンアレイ信号整形手段１２は、ＬＰＦ１２ａによって、２番目のディップが発生する周波数以上の周波数領域をカットする。そして、マイクロホンアレイ信号整形手段１２は、ＨＰＦ１２ｂによって、１番目のディップが発生する周波数以下の周波数領域をカットする。さらに、マイクロホンアレイ信号整形手段１２は、この周波数領域をカットした信号を、図７（ｃ）の背面雑音とほぼ同じ感度に増減させる（レベル調整）。そして、マイクロホンアレイ信号整形手段１２は、この整形した信号を、超指向性マイクロホン信号減算手段１３に出力する。
【００４６】
なお、図７（ｃ）の１番目のディップから２番目のディップまでの山を背面雑音として抑制する例について説明したが、２番目のディップから３番目のディップまでの山や、ｘ−１番目のディップからｘ番目のディップまでの山も背面雑音として抑制する。この場合、背面雑音抑制マイク１は、２番目のディップから３番目のディップまでの山や、ｘ−１番目のディップからｘ番目のディップまでの山に対応するように、一対の単一指向性マイクロホン４がそれぞれ設定される。
【００４７】
＜単一指向性マイクロホン４の間隔と周波数特性との関係＞
以下、図２の単一指向性マイクロホン４の間隔と周波数特性との関係について、図９を参照して説明する（適宜図２，図６参照）。図９は、一対の単一指向性マイクロホンの出力を減算した信号の周波数特性の例を示す図である。なお、図９は、横軸が周波数（Ｈｚ）であり、縦軸が感度（ｄＢ）である。
【００４８】
前記したように、背面雑音抑制マイク１は、一対の単一指向性マイクロホン４が出力する信号を減算する。ここで、単一指向性マイクロホン４の間隔をＤとすると、図９に示すような周波数特性の信号において、感度が最高となるピーク周波数ｆｐは３４０／２Ｄと表すことができ、感度が無くなるディップ周波数ｆｄは３４０／Ｄと表すことができる。例えば、単一指向性マイクロホン４の間隔Ｄが１０ｃｍの場合、ピーク周波数ｆｐが１．７ｋＨｚとなり、ディップ周波数ｆｄが３．４ｋＨｚとなる。
【００４９】
また、例えば、超指向性マイクロホン２の周波数特性において、ピーク周波数ｆｐが２ｋＨｚでディップ周波数ｆｄが４ｋＨｚとなる場合を考える。この場合、背面雑音を抑制するために、単一指向性マイクロホン４の間隔Ｄが８．５ｃｍ及び４．２５ｃｍとなる単一指向性マイクロホン４が予め設定され、マイクロホンアレイ信号整形手段１２は、これら単一指向性マイクロホン４が出力する信号を減算する。
【００５０】
［背面雑音抑制マイクの制御手段の動作］
以下、図６の制御手段１０の動作について、図１０を参照して説明する（適宜図４参照）。図１０は、図６の制御手段の動作を示すフローチャートである。
【００５１】
まず、背面雑音抑制マイク１は、マイクロホンアレイ信号減算手段１１によって、マイクロホンアレイ３のうち、予め設定された一対の単一指向性マイクロホン４が出力する信号を減算する。ここで、背面雑音抑制マイク１は、マイクロホンアレイ信号減算手段１１によって、背面雑音の周波数成分が低くなる程、音響中心２ｃから等距離であると共に、互いに離して配置された一対の単一指向性マイクロホン４が出力する信号を減算し、背面雑音の周波数成分が高くなる程、音響中心２ｃから等距離であると共に、互いに近くに配置された一対の単一指向性マイクロホン４が出力する信号を減算する（ステップＳ１１）。
【００５２】
ステップＳ１１の処理に続いて、背面雑音抑制マイク１は、マイクロホンアレイ信号整形手段１２によって、マイクロホンアレイ信号減算手段１１が減算した信号を、背面雑音の周波数成分に合わせて整形する。ここで、背面雑音抑制マイク１は、マイクロホンアレイ信号整形手段１２によって、ＬＰＦ１２ａとＨＰＦ１２ｂとの畳み込み演算を行って、マイクロホンアレイ信号減算手段１１が減算した信号を整形する（ステップＳ１２）。
【００５３】
ステップＳ１２の処理に続いて、背面雑音抑制マイク１は、超指向性マイクロホン信号減算手段１３によって、超指向性マイクロホン２が出力する信号からマイクロホンアレイ信号整形手段１２が整形し、レベル調整を行った信号を減算する（ステップＳ１３）。以上のように、背面雑音抑制マイク１は、広い周波数にわたって、背面雑音を抑制することができる。
【００５４】
本発明の実施形態に係る背面雑音抑制マイクは、広い周波数にわたって、背面雑音を抑制するため、従来では難しかった屋外での収音を容易にできる。さらに、本発明の実施形態に係る背面雑音抑制マイクは、音源が密集した環境、例えば、オーケストラ内での設置において、各楽器の音を効率よく分離させて収音できる。
【図面の簡単な説明】
【００５５】
【図１】本発明の実施形態に係る背面雑音抑制マイクの外観図である。
【図２】本発明の実施形態に係る背面雑音抑制マイクを模式的に示した模式図である。
【図３】図２の超指向性マイクロホンのポーラパターンの例を示す図である。
【図４】図２の単一指向性マイクロホンのポーラパターンの例を示す図である。
【図５】図２の一対の単一指向性マイクロホン４を組み合わせた２次音圧傾度マイクロホンのポーラパターンの例を示す図である。
【図６】図２の制御手段の構成を示すブロック図である。
【図７】図６のマイクロホンアレイ信号整形手段による信号整形の詳細を説明する図であり、（ａ）は超指向性マイクロホンが収音した背面雑音の周波数特性の例を示す図であり、（ｂ）は１番目のディップまでの山を抜き出した図であり、（ｃ）は１番目のディップから２番目のディップまでの山を抜き出した図である。
【図８】図６のマイクロホンアレイ信号整形手段１２による信号整形の詳細を説明する図であり、（ａ）は一対の単一指向性マイクロホンの出力を減算した信号の周波数特性の例を示す図であり、（ｂ）はマイクロホンアレイ信号整形手段が整形した信号の周波数特性の例を示す図である。
【図９】一対の単一指向性マイクロホンの出力を減算した信号の周波数特性の例を示す図である。
【図１０】図６の制御手段の動作を示すフローチャートである。
【符号の説明】
【００５６】
１    背面雑音抑制マイク
２    超指向性マイクロホン
２ａ  音響管
２ｂ  振動膜
２ｃ  音響中心
２ｄ  カバー
３    マイクロホンアレイ
４    単一指向性マイクロホン
４１  単一指向性マイクロホン
４ｌ  単一指向性マイクロホン
４ｍ  単一指向性マイクロホン
４ｎ  単一指向性マイクロホン
１０  制御手段
１１  マイクロホンアレイ信号減算手段
１２  マイクロホンアレイ信号整形手段
１３  超指向性マイクロホン信号減算手段
【図１】
2010050500.tif 000003
【図２】
2010050500.tif 000004
【図３】
2010050500.tif 000005
【図４】
2010050500.tif 000006
【図５】
2010050500.tif 000007
【図６】
2010050500.tif 000008
【図７】
2010050500.tif 000009
【図８】
2010050500.tif 000010
【図９】
2010050500.tif 000011
【図１０】
2010050500.tif 000012